(57)【要約】【課題】振動板の筐体に対する位置決めを、確実かつ正確に行うことができると共に、フラットパネルスピーカの音響特性を向上させる。【解決手段】角部３１ａの突起部３１ｍが、フロントケース１２の側壁部１６の対応する隅部１２ａの側壁面１６ｍに、突起部３１ｎが、この隅部１２ａの側壁面１６ｎに、それぞれ、突き当てられることによって、振動板３１の位置決めがなされ、この状態で、載置面１７ｍに接着されたガスケット部材３３を介して、振動板３１がフロントケース１２に取り付けられている。振動板３１の上部は、断面略台形状に成形され、突起部３１ｍ（突起部３１ｎ）は、断面の輪郭が所定の曲率の円弧状となるように形成され、側壁面１６ｍ（側壁面１６ｎ）に対して、線状に（平面視では点状に）接触している。【選択図】図１
2006186850.tif 000002
【特許請求の範囲】
【請求項１】
振動板を振動させて音波を放射させるフラットパネルスピーカが、電子機器の筐体に取り付けられたフラットパネルスピーカの実装構造であって、
前記振動板の側壁部には、前記振動板を前記筐体に対して位置決めされた状態で前記筐体の載置面に載置するための第１の突起部及び第２の突起部が形成され、
前記筐体には、それぞれ、前記第１の突起部及び前記第２の突起部が突き当てられる第１の突当て部及び第２の突当て部が形成され、
前記振動板は、互いに交差し、共に前記載置面に略平行な第１の方向及び第２の方向に沿って、前記筐体に対して位置決めがなされ、
前記第１の突起部が前記第１の突当て部に突き当てられることによって、前記第１の方向に沿って、前記振動板の前記筐体に対する位置決めがなされると共に、前記第２の突起部が前記第２の突当て部に突き当てられることによって、前記第２の方向に沿って、前記振動板の前記筐体に対する位置決めがなされる
ことを特徴とする電子機器におけるフラットパネルスピーカの実装構造。
【請求項２】
前記振動板に形成された所定の角部を構成する２つの前記側壁部には、それぞれ、前記第１の突起部及び前記第２の突起部が形成され、
前記筐体には凹部が形成され、前記凹部に形成された所定の隅部を構成する２つの内壁部には、それぞれ、前記第１の突当て部及び前記第２の突当て部が形成されている
ことを特徴とする請求項１記載の電子機器におけるフラットパネルスピーカの実装構造。
【請求項３】
前記振動板の裏面の所定の部位には、前記振動板を振動させるアクチュエータが配置され、前記第１の突起部及び前記第２の突起部は、前記アクチュエータが配置された部位から所定の距離以上離隔した部位に形成されていることを特徴とする請求項１又は２記載の電子機器におけるフラットパネルスピーカの実装構造。
【請求項４】
前記第１の突起部及び前記第２の突起部は、放射される音波の音圧の時間的平均値及び振幅が比較的小さい部位に形成されていることを特徴とする請求項１、２又は３記載の電子機器におけるフラットパネルスピーカの実装構造。
【請求項５】
振動板を振動させて音波を放射させるフラットパネルスピーカが、電子機器の筐体に取り付けられたフラットパネルスピーカの実装構造であって、
前記筐体には、前記振動板を前記筐体に対して位置決めされた状態で前記筐体の載置面に載置するための第１の突起部及び第２の突起部が形成され、
前記振動板の側壁部には、それぞれ、前記第１の突起部及び前記第２の突起部が突き当てられる第１の突当て部及び第２の突当て部が形成され、
前記振動板は、互いに交差し、共に前記載置面に略平行な第１の方向及び第２の方向に沿って、前記筐体に対して位置決めがなされ、
前記第１の突起部が前記第１の突当て部に突き当てられることによって、前記第１の方向に沿って、前記振動板の前記筐体に対する位置決めがなされると共に、前記第２の突起部が前記第２の突当て部に突き当てられることによって、前記第２の方向に沿って、前記振動板の前記筐体に対する位置決めがなされる
ことを特徴とする電子機器におけるフラットパネルスピーカの実装構造。
【請求項６】
前記振動板に形成された所定の角部を構成する２つの前記側壁部には、それぞれ、前記第１の突当て部及び前記第２の突当て部が形成され、
前記筐体には凹部が形成され、前記凹部に形成された所定の隅部を構成する２つの内壁部には、それぞれ、前記第１の突起部及び前記第２の突起部が形成されている
ことを特徴とする請求項５記載の電子機器におけるフラットパネルスピーカの実装構造。
【請求項７】
前記振動板の裏面の所定の部位には、前記振動板を振動させるアクチュエータが配置され、前記第１の突当て部及び前記第２の突当て部は、前記アクチュエータが配置された部位から所定の距離以上離隔した部位に形成されていることを特徴とする請求項５又は６記載の電子機器におけるフラットパネルスピーカの実装構造。
【請求項８】
前記第１の突当て部及び前記第２の突当て部は、放射される音波の音圧の時間的平均値及び振幅が比較的小さい部位に形成されていることを特徴とする請求項５、６又は７記載の電子機器におけるフラットパネルスピーカの実装構造。
【請求項９】
前記第１の突起部及び前記第２の突起部は、断面の輪郭が外方に凸の滑らかな曲線からなるように形成され、前記第１の突起部及び前記第１の突当て部と、前記第２の突起部及び前記第２の突当て部とは、少なくとも平面視で点状に接触していることを特徴とする請求項１乃至８のいずれか１に記載の電子機器におけるフラットパネルスピーカの実装構造。
【請求項１０】
前記振動板は、所定の対称軸に対して線対称な平板状部材からなり、前記第１の方向は、前記対称軸に平行か又は直交し、前記第２の方向は、前記第１の方向に直交していることを特徴とする請求項１乃至９のいずれか１に記載の電子機器におけるフラットパネルスピーカの実装構造。
【請求項１１】
前記振動板は、前記振動板の裏面に接着され前記振動板を支持する支持部材を介して、前記筐体の前記載置面上に載置されていることを特徴とする請求項１乃至１０のいずれか１に記載の電子機器におけるフラットパネルスピーカの実装構造。
【請求項１２】
前記筐体の前記凹部の底部には、開口が形成され、前記載置面は、前記開口の縁部を構成し、前記振動板は、前記開口を覆うように取り付けられていることを特徴とする請求項１乃至１１のいずれか１に記載の電子機器におけるフラットパネルスピーカの実装構造。
【請求項１３】
前記支持部材は、扁平な枠状部材からなり、その内壁面が前記開口を囲むように配置され、前記開口から前記筐体の中に塵埃を含む異物が入るのを防止するための異物侵入防止機能を有していることを特徴とする請求項１２記載の電子機器におけるフラットパネルスピーカの実装構造。
【請求項１４】
前記支持部材は、前記振動板に接着された状態で、前記振動板の振動に従って、少なくとも厚さ方向に沿って変形しながら前記振動板を支持することを特徴とする請求項１１、１２又は１３記載の電子機器におけるフラットパネルスピーカの実装構造。
【請求項１５】
前記アクチュエータは圧電素子を有してなり、前記振動板の所定の部位に接触していることを特徴とする請求項１乃至１４のいずれか１に記載の電子機器におけるフラットパネルスピーカの実装構造。
【請求項１６】
前記電子機器は、文字情報又は画像情報を表示するための表示手段を備え、前記振動板は、透明部材からなり、前記表示手段の表示画面を保護するためのスクリーン部材を兼ねることを特徴とする請求項１２乃至１５のいずれか１に記載の電子機器におけるフラットパネルスピーカの実装構造。
【請求項１７】
電子機器の筐体に取り付けられ、フラットパネルスピーカを構成し、振動して音波を放射させる振動板であって、
当該振動板の側壁部には、当該振動板を前記筐体に取り付ける際に、当該振動板を前記筐体に対して位置決めされた状態で前記筐体の載置面に載置するための第１の突起部及び第２の突起部が形成され、
当該振動板は、互いに交差し、共に前記載置面に略平行な第１の方向及び第２の方向に沿って、前記筐体に対して位置決めがなされ、
前記第１の突起部が、前記筐体に形成された第１の突当て部に突き当てられることによって、前記第１の方向に沿って、当該振動板の前記筐体に対する位置決めがなされると共に、前記第２の突起部が、前記筐体に形成された第２の突当て部に突き当てられることによって、前記第２の方向に沿って、当該振動板の前記筐体に対する位置決めがなされる
ことを特徴とする振動板。
【請求項１８】
凹部が形成され、前記凹部に形成された所定の隅部を構成する２つの内壁部には、それぞれ、前記第１の突当て部及び前記第２の突当て部が形成されている前記筐体に取り付けられ、
所定の角部を構成する２つの前記側壁部には、それぞれ、前記第１の突起部及び前記第２の突起部が形成されている
ことを特徴とする請求項１７記載の振動板。
【請求項１９】
裏面の所定の部位には、当該振動板を振動させるアクチュエータが配置され、前記第１の突起部及び前記第２の突起部は、前記アクチュエータが配置された部位から所定の距離以上離隔した部位に形成されていることを特徴とする請求項１７又は１８記載の振動板。
【請求項２０】
前記第１の突起部及び前記第２の突起部は、放射される音波の音圧の時間的平均値及び振幅が比較的小さい部位に形成されていることを特徴とする請求項１７、１８又は１９記載の振動板。
【請求項２１】
前記第１の突起部及び前記第２の突起部は、断面の輪郭が外方に凸の滑らかな曲線からなるように形成され、前記第１の突起部及び前記第１の突当て部と、前記第２の突起部及び前記第２の突当て部とは、少なくとも平面視で点状に接触していることを特徴とする請求項１７乃至２０のいずれか１に記載の振動板。
【請求項２２】
所定の対称軸に対して線対称な平板状部材からなり、前記第１の方向は、前記対称軸に平行か又は直交し、前記第２の方向は、前記第１の方向に直交していることを特徴とする請求項１７乃至２１のいずれか１に記載の振動板。
【請求項２３】
裏面に当該振動板を支持する支持部材が接着され、該支持部材を介して、前記筐体の前記載置面上に載置されることを特徴とする請求項１７乃至２２のいずれか１に記載の振動板。
【請求項２４】
前記凹部の底部に開口が形成され、前記載置面が前記開口の縁部を構成している前記筐体に、前記開口を覆うように取り付けられることを特徴とする請求項１７乃至２３のいずれか１に記載の振動板。
【請求項２５】
前記支持部材は、扁平な枠状部材からなり、その内壁面が前記開口を囲むように配置され、前記開口から前記筐体の中に塵埃を含む異物が入るのを防止するための異物侵入防止機能を有していることを特徴とする請求項２４記載の振動板。
【請求項２６】
前記支持部材は、当該振動板に接着された状態で、当該振動板の振動に従って、少なくとも厚さ方向に沿って変形しながら当該振動板を支持することを特徴とする請求項２３、２４又は２５記載の振動板。
【請求項２７】
前記電子機器は、文字情報又は画像情報を表示するための表示手段を備え、当該振動板は、透明部材からなり、前記表示手段の表示画面を保護するためのスクリーン部材を兼ねることを特徴とする請求項２４、２５又は２６のいずれか１に記載の振動板。
【請求項２８】
電子機器の筐体に実装され、振動板を振動させて音波を放射させるフラットパネルスピーカであって、
前記振動板の側壁部には、前記振動板を前記筐体に取り付ける際に、前記振動板を前記筐体に対して位置決めされた状態で前記筐体の載置面に載置するための第１の突起部及び第２の突起部が形成され、
前記振動板は、互いに交差し、共に前記載置面に略平行な第１の方向及び第２の方向に沿って、前記筐体に対して位置決めがなされ、
前記第１の突起部が、前記筐体に形成された第１の突当て部に突き当てられることによって、前記第１の方向に沿って、前記振動板の前記筐体に対する位置決めがなされると共に、前記第２の突起部が、前記筐体に形成された第２の突当て部に突き当てられることによって、前記第２の方向に沿って、前記振動板の前記筐体に対する位置決めがなされる
ことを特徴とするフラットパネルスピーカ。
【請求項２９】
凹部が形成され、前記凹部に形成された所定の隅部を構成する２つの内壁部には、それぞれ、前記第１の突当て部及び前記第２の突当て部が形成されている前記筐体に取り付けられ、
前記振動板に形成された所定の角部を構成する２つの前記側壁部には、それぞれ、前記第１の突起部及び前記第２の突起部が形成されている
ことを特徴とする請求項２８記載のフラットパネルスピーカ。
【請求項３０】
前記振動板の裏面の所定の部位に、前記振動板を振動させるアクチュエータが配置され、前記第１の突起部及び前記第２の突起部は、前記アクチュエータが配置された部位から所定の距離以上離隔した部位に形成されていることを特徴とする請求項２８又は２９記載のフラットパネルスピーカ。
【請求項３１】
前記第１の突起部及び前記第２の突起部は、放射される音波の音圧の時間的平均値及び振幅が比較的小さい部位に形成されていることを特徴とする請求項２８、２９又は３０記載のフラットパネルスピーカ。
【請求項３２】
前記第１の突起部及び前記第２の突起部は、断面の輪郭が外方に凸の滑らかな曲線からなるように形成され、前記第１の突起部及び前記第１の突当て部と、前記第２の突起部及び前記第２の突当て部とは、少なくとも平面視で点状に接触していることを特徴とする請求項２８乃至３１のいずれか１に記載のフラットパネルスピーカ。
【請求項３３】
前記振動板は、所定の対称軸に対して線対称な平板状部材からなり、前記第１の方向は、前記対称軸に平行か又は直交し、前記第２の方向は、前記第１の方向に直交していることを特徴とする請求項２８乃至３２のいずれか１に記載のフラットパネルスピーカ。
【請求項３４】
前記振動板は、前記振動板の裏面に接着され前記振動板を支持する支持部材を介して、前記筐体の前記載置面上の載置されることを特徴とする請求項２８乃至３３のいずれか１に記載のフラットパネルスピーカ。
【請求項３５】
前記凹部の底部に開口が形成され、前記載置面が前記開口の縁部を構成している前記筐体に、前記振動板が前記開口を覆うように取り付けられることを特徴とする請求項２８乃至３４のいずれか１に記載のフラットパネルスピーカ。
【請求項３６】
前記支持部材は、扁平な枠状部材からなり、その内壁面が前記開口を囲むように配置され、前記開口から前記筐体の中に塵埃を含む異物が入るのを防止するための異物侵入防止機能を有していることを特徴とする請求項３５記載のフラットパネルスピーカ。
【請求項３７】
前記支持部材は、前記振動板に接着された状態で、前記振動板の振動に従って、少なくとも厚さ方向に沿って変形しながら前記振動板を支持することを特徴とする請求項３４、３５又は３６記載のフラットパネルスピーカ。
【請求項３８】
前記アクチュエータは圧電素子を有してなり、前記振動板の所定の部位に接触していることを特徴とする請求項２８乃至３７のいずれか１に記載のフラットパネルスピーカ。
【請求項３９】
前記電子機器は、文字情報又は画像情報を表示するための表示手段を備え、前記振動板は、透明部材からなり、前記表示手段の表示画面を保護するためのスクリーン部材を兼ねることを特徴とする請求項３５乃至３８のいずれか１に記載のフラットパネルスピーカ。
【請求項４０】
請求項１乃至１６のいずれか１に記載の電子機器におけるフラットパネルスピーカの実装構造を備えたことを特徴とする電子機器。
【請求項４１】
振動板を振動させて音波を放射させるフラットパネルスピーカを、電子機器の筐体に取り付けるためのフラットパネルスピーカの実装方法であって、
側壁部に、前記筐体に対して位置決めされた状態で前記筐体の載置面に載置するための第１の突起部及び第２の突起部が形成された前記振動板と、それぞれ、前記第１の突起部及び前記第２の突起部が突き当てられる第１の突当て部及び第２の突当て部が形成された前記筐体とを用意し、
前記第１の突起部を前記第１の突当て部に突き当てて、互いに交差し、共に前記載置面に略平行な第１の方向と第２の方向とのうち、前記第１の方向に沿って、前記振動板の前記筐体に対する位置決めを行うと共に、前記第２の突起部を前記第２の突当て部に突き当てて、前記第２の方向に沿って、前記振動板の前記筐体に対する位置決めを行う
ことを特徴とする電子機器におけるフラットパネルスピーカの実装方法。
【請求項４２】
前記振動板に形成された所定の角部を構成する２つの前記側壁部には、それぞれ、前記第１の突起部及び前記第２の突起部が形成され、
前記筐体には凹部が形成され、前記凹部に形成された隅部を構成する２つの内壁部には、それぞれ、前記第１の突当て部及び前記第２の突当て部が形成されている
ことを特徴とする請求項４１記載の電子機器におけるフラットパネルスピーカの実装方法。
【請求項４３】
前記振動板の裏面の所定の部位には、前記振動板を振動させるアクチュエータが配置され、前記第１の突起部及び前記第２の突起部は、前記アクチュエータが配置された部位から所定の距離以上離隔した部位に形成されていることを特徴とする請求項４１又は４２記載の電子機器におけるフラットパネルスピーカの実装方法。
【請求項４４】
前記第１の突起部及び前記第２の突起部は、放射される音波の音圧の時間的平均値及び振幅が比較的小さい部位に形成されていることを特徴とする請求項４１、４２又は４３記載の電子機器におけるフラットパネルスピーカの実装方法。
【請求項４５】
振動板を振動させて音波を放射させるフラットパネルスピーカを、電子機器の筐体に取り付けるためのフラットパネルスピーカの実装方法であって、
前記振動板を前記筐体に対して位置決めされた状態で前記筐体の載置面に載置するための第１の突起部及び第２の突起部が形成された前記筐体と、その側壁部に、それぞれ、前記第１の突起部及び前記第２の突起部が突き当てられる第１の突当て部及び第２の突当て部が形成された前記振動板とを用意し、
前記第１の突起部を前記第１の突当て部に突き当てて、互いに交差し、共に前記載置面に略平行な第１の方向と第２の方向とのうち、前記第１の方向に沿って、前記振動板の前記筐体に対する位置決めを行うと共に、前記第２の突起部を前記第２の突当て部に突き当てて、前記第２の方向に沿って、前記振動板の前記筐体に対する位置決めを行う
ことを特徴とする電子機器におけるフラットパネルスピーカの実装方法。
【請求項４６】
前記振動板に形成された所定の角部を構成する２つの前記側壁部には、それぞれ、前記第１の突当て部及び前記第２の突当て部が形成され、
前記筐体には凹部が形成され、前記凹部に形成された隅部を構成する２つの内壁部には、それぞれ、前記第１の突起部及び前記第２の突起部が形成されている
ことを特徴とする請求項４５記載の電子機器におけるフラットパネルスピーカの実装方法。
【請求項４７】
前記振動板の裏面の所定の部位には、前記振動板を振動させるアクチュエータが配置され、前記第１の突当て部及び前記第２の突当て部は、前記アクチュエータが配置された部位から所定の距離以上離隔した部位に形成されていることを特徴とする請求項４５又は４６記載の電子機器におけるフラットパネルスピーカの実装方法。
【請求項４８】
前記第１の突当て部及び前記第２の突当て部は、放射される音波の音圧の時間的平均値及び振幅が比較的小さい部位に形成されていることを特徴とする請求項４５、４６又は４７記載の電子機器におけるフラットパネルスピーカの実装方法。
【請求項４９】
前記第１の突起部及び前記第２の突起部は、断面の輪郭が外方に凸の滑らかな曲線からなるように形成され、前記第１の突起部及び前記第１の突当て部と、前記第２の突起部及び前記第２の突当て部とは、少なくとも平面視で点状に接触していることを特徴とする請求項４１乃至４８のいずれか１に記載の電子機器におけるフラットパネルスピーカの実装方法。
【請求項５０】
前記振動板は、所定の対称軸に対して線対称な平板状部材からなり、前記第１の方向は、前記対称軸に平行か又は直交し、前記第２の方向は、前記第１の方向に直交していることを特徴とする請求項４１乃至４９のいずれか１に記載の電子機器におけるフラットパネルスピーカの実装方法。
【請求項５１】
前記振動板を、前記振動板の裏面に接着され前記振動板を支持する支持部材を介して、前記筐体の前記載置面上に載置することを特徴とする請求項４１乃至５０のいずれか１に記載の電子機器におけるフラットパネルスピーカの実装方法。
【請求項５２】
前記筐体の前記凹部の底部には、開口が形成され、前記載置面は、前記開口の縁部を構成し、前記振動板を、前記開口を覆うように取り付けることを特徴とする請求項４１乃至５１のいずれか１に記載の電子機器におけるフラットパネルスピーカの実装方法。
【請求項５３】
前記支持部材は、扁平な枠状部材からなり、その内壁面が前記開口を囲むように、前記開口から前記筐体の中に塵埃を含む異物が入るのを防止するために配置することを特徴とする請求項５２記載の電子機器におけるフラットパネルスピーカの実装方法。
【請求項５４】
前記支持部材は、前記振動板に接着された状態で、前記振動板の振動に従って、少なくとも厚さ方向に沿って変形しながら前記振動板を支持することを特徴とする請求項５１、５２又は５３記載の電子機器におけるフラットパネルスピーカの実装方法。
【請求項５５】
前記アクチュエータは圧電素子を有してなり、前記振動板の所定の部位に接触していることを特徴とする請求項４１乃至５４のいずれか１に記載の電子機器におけるフラットパネルスピーカの実装方法。
【請求項５６】
前記電子機器は、文字情報又は画像情報を表示するための表示手段を備え、前記振動板は、透明部材からなり、前記表示手段の表示画面を保護するためのスクリーン部材を兼ねることを特徴とする請求項５２乃至５５のいずれか１に記載の電子機器におけるフラットパネルスピーカの実装方法。
【発明の詳細な説明】
【技術分野】
【０００１】
この発明は、フラットパネルスピーカの実装構造及び実装方法、振動板、フラットパネルスピーカ並びに電子機器に係り、例えば、表示パネルを保護するスクリーン部材を音声を放射するための振動板として用いた折畳み型の携帯電話機等の電子機器において、スクリーン部材を兼ねる振動板が筐体に取り付けられた電子機器におけるフラットパネルスピーカの実装構造及び実装方法、振動板、フラットパネルスピーカ並びに電子機器に関する。
【背景技術】
【０００２】
近年、移動中や外出先でも使用可能であるという高い利便性によって、携帯電話機等の携帯型電子機器が広く普及してきている。特に、開閉自在の折畳み型の携帯電話機は、コンパクトに収納できることから、多くのユーザから支持を受けている。
さらに、２軸ヒンジ部を用いて、開閉を行うための回動軸に直交する回動軸の周りにも一方の筐体が他方の筐体に対して回動自在となるように構成した折畳み型の携帯電話機も実用化されている。
【０００３】
このような携帯電話機１０１は、図２０及び図２１に示すように、上部ユニット１０２と下部ユニット１０３とが、２軸ヒンジ部１０４で相互に結合されて構成され、上側ユニット１０２の上部筐体１０５には、受話音声を出力する受話部１０６と、液晶表示装置からなる表示部１０７とが実装され、下部ユニット１０３の下部筐体１０８には、各種操作キー等からなる操作部１０９と、送話音声を入力する送話部１１０と、スピーカを有する音声出力部１１１とが実装されている。
【０００４】
なお、表示部１０７は、図２２に示すように、液晶表示パネル１１２と、液晶表示パネル１１２に照明光を与えるバックライト装置とを有し、これらは、保持フレーム１１３によって保持されて、上部筐体１０５内に実装されている。また、液晶表示パネル１１２を保護するためのスクリーン部材１１４が、上部筐体１０５を構成するフロントケース１１５に両面粘着シート１１６を用いて接着されている。
【０００５】
ところで、携帯電話機１０１として、本来の通話機能のみならず、電子メールの送受信やインターネットに接続してホームページの閲覧が可能なデータ通信機能を有するものが普及している。
このような携帯電話機１０１において、例えば、サイトからダウンロードしたプログラムを実行して、ゲーム等を楽しむような場合に、表示部１０７の画面を見ながら、音声を聞くためには、筐体を開いた状態で、用いることとなる。
【０００６】
しかしながら、表示画面を正面に向けて折り畳んでコンパクト化した状態で、表示部１０７の表示画面を見ようとする場合には、音声出力部１１１のスピーカが隠れてしまって、音声が十分に聴き取れないという問題があった。
また、通話時には、筐体を開いた状態で、受話部１０６を耳部に当てて、受話音声を聴くこととなるが、音孔が比較的小さいために、確実に当てることが困難で、音孔位置から外れてしまって、音量が不足し、かつ、音声が不明瞭になってしまっていた。
そこで、最近、パーソナルコンピュータのディスプレイで、例えば、表示パネルを保護するスクリーン部材を音声を放射するための振動板として用いる技術が実用化されており、この技術を携帯電話機に適用することが提案されている（表示画面からの音声出力については、例えば、非特許文献１参照。）。
【０００７】
この携帯電話機のフラットパネルスピーカ２０１は、表示部が実装された一方の筐体に取り付けられ、図２３に示すように、例えばアクリル樹脂製の透明部材からなり、液晶表示パネルを保護するスクリーン部材を兼ねる振動板２０２と、圧電素子を有し振動板２０２を振動させて音波を放射させるアクチュエータモジュール２０３とを有してなっている。
【０００８】
振動板２０２は、振動が伝達されるように所定の部位でアクチュエータモジュール２０３が取り付けられ、かつ、塵埃等の異物の侵入を防止するための枠状のガスケット部材２０４を介して、液晶表示パネルの表示画面を露出させるための開口が中央部に形成され、上記一方の筐体を構成するフロントケース２０６に取り付けられている（図２４及び図２５参照）。
ここで、ガスケット部材２０４は、内壁面２０４ａがフロントケース２０６の開口を囲むように配置され、共に枠状の両面粘着シートを介して、図２５に示すように、それぞれ、振動板２０２、フロントケース２０６の開口の縁部の載置面２０６ａに接着されている。
【０００９】
この携帯電話機の筐体にフラットパネルスピーカ２０１を実装するには、まず、振動板２０２の裏面の周縁部に枠状の両面粘着シートを介してガスケット部材２０４を接着し、ガスケット部材２０４の振動板２０２に対向する側に両面粘着シートを貼り付ける。
次に、アクチュエータモジュール２０３を、振動板２０２の裏面の所定の部位に例えば両面粘着テープを用いて接着する。
【００１０】
次に、振動板２０２を、フロントケース２０６に対して位置決めして、例えば図２０に示すように振動板２０２の表示画面領域２０２ｓがずれないようにして、両面粘着シートを介してガスケット部材２０４をフロントケース２０６の開口の縁部に接着して、振動板２０２をフロントケース２０６に取り付ける。
ここで、図２５及び図２６に示すように、振動板２０２の４つの角部２０２ａ，２０２ａ，…のうちの所定の角部２０２ａ（例えば、左下の角部２０２ａ）を、対応するフロントケース２０６の側壁部２０６ｂの内壁面の隅部２０６ｃに突き当てて、位置決めして、両面粘着シートを介してガスケット部材２０４をフロントケース２０６の載置面２０６ａに接着して、振動板２０２をフロントケース２０６に取り付ける（機器の構成部材をその角部で筐体に対して位置決めする技術については、例えば、特許文献１参照。）。
【００１１】
一方、保持フレームの表面側に、例えば枠状の両面粘着シートを介して液晶表示パネルを固定し、裏面側に配線基板を重ねて組み付け、配線基板の端部に配置されたコネクタにＦＰＣの端部を接続する。
次に、液晶表示パネルや光源ユニット、配線基板等が取り付けられた保持フレームに、配線基板側からリアカバーを組み付け、振動板２０２やアクチュエータモジュール２０３、ガスケット部材２０４等が取り付けられた部品群をフロントケース２０６に貼り付け、アクチュエータモジュール２０３配線基板とをコネクタ接続する。次に、リアカバーを、組み合わせて、嵌合することによって、又は雌ねじや雄ねじ等の固定具によって締め付けて、携帯電話機を組み立てる。
【００１２】
【特許文献１】特開２００２−２５８２４９号公報
【非特許文献１】「日経ビジネス  ２００４年１１月１日号」日経ＢＰ社、２００４年１１月１日、ｐ．９０
【発明の開示】
【発明が解決しようとする課題】
【００１３】
解決しようとする問題点は、筐体が、振動板の側面部に広範囲で接触して、側面部を押えてしまって振動板の振動を妨げ、フラットパネルスピーカの音響特性の劣化を引き起こしてしまうという点である。
すなわち、図２３乃至図２５に示すように、振動板２０２の角部２０２ａの側壁面２０２ｍ，２０２ｎが、それぞれ、フロントケース２０６の隅部２０６ｃの内壁面２０６ｍ，２０６ｎに、広範囲で面状に（平面視では線状に）に接触しているので、振動板２０２は、その側面部がフロントケース２０６によって、押えられて振動が妨げられ、音響特性への悪影響（音質や音量の低下等）を発生する。
【００１４】
この発明は、上述の事情に鑑みてなされたもので、振動板の筐体に対する位置決めを、確実かつ正確に行うことができると共に、フラットパネルスピーカの音響特性を向上させることができるフラットパネルスピーカの実装構造及び実装方法、振動板、フラットパネルスピーカ並びに電子機器を提供することを目的としている。
【課題を解決するための手段】
【００１５】
上記課題を解決するために、請求項１記載の発明は、振動板を振動させて音波を放射させるフラットパネルスピーカが、電子機器の筐体に取り付けられたフラットパネルスピーカの実装構造に係り、上記振動板の側壁部には、上記振動板を上記筐体に対して位置決めされた状態で上記筐体の載置面に載置するための第１の突起部及び第２の突起部が形成され、上記筐体には、それぞれ、上記第１の突起部及び上記第２の突起部が突き当てられる第１の突当て部及び第２の突当て部が形成され、上記振動板は、互いに交差し、共に上記載置面に略平行な第１の方向及び第２の方向に沿って、上記筐体に対して位置決めがなされ、上記第１の突起部が上記第１の突当て部に突き当てられることによって、上記第１の方向に沿って、上記振動板の上記筐体に対する位置決めがなされると共に、上記第２の突起部が上記第２の突当て部に突き当てられることによって、上記第２の方向に沿って、上記振動板の上記筐体に対する位置決めがなされることを特徴としている。
【００１６】
また、請求項２記載の発明は、請求項１記載の電子機器におけるフラットパネルスピーカの実装構造に係り、上記振動板に形成された所定の角部を構成する２つの上記側壁部には、それぞれ、上記第１の突起部及び上記第２の突起部が形成され、上記筐体には凹部が形成され、上記凹部に形成された所定の隅部を構成する２つの内壁部には、それぞれ、上記第１の突当て部及び上記第２の突当て部が形成されていることを特徴としている。
【００１７】
また、請求項３記載の発明は、請求項１又は２記載の電子機器におけるフラットパネルスピーカの実装構造に係り、上記振動板の裏面の所定の部位には、上記振動板を振動させるアクチュエータが配置され、上記第１の突起部及び上記第２の突起部は、上記アクチュエータが配置された部位から所定の距離以上離隔した部位に形成されていることを特徴としている。
【００１８】
また、請求項４記載の発明は、請求項１、２又は３記載の電子機器におけるフラットパネルスピーカの実装構造に係り、上記第１の突起部及び上記第２の突起部は、放射される音波の音圧の時間的平均値及び振幅が比較的小さい部位に形成されていることを特徴としている。
【００１９】
また、請求項５記載の発明は、振動板を振動させて音波を放射させるフラットパネルスピーカが、電子機器の筐体に取り付けられたフラットパネルスピーカの実装構造に係り、上記筐体には、上記振動板を上記筐体に対して位置決めされた状態で上記筐体の載置面に載置するための第１の突起部及び第２の突起部が形成され、上記振動板の側壁部には、それぞれ、上記第１の突起部及び上記第２の突起部が突き当てられる第１の突当て部及び第２の突当て部が形成され、上記振動板は、互いに交差し、共に上記載置面に略平行な第１の方向及び第２の方向に沿って、上記筐体に対して位置決めがなされ、上記第１の突起部が上記第１の突当て部に突き当てられることによって、上記第１の方向に沿って、上記振動板の上記筐体に対する位置決めがなされると共に、上記第２の突起部が上記第２の突当て部に突き当てられることによって、上記第２の方向に沿って、上記振動板の上記筐体に対する位置決めがなされることを特徴としている。
【００２０】
また、請求項６記載の発明は、請求項５記載の電子機器におけるフラットパネルスピーカの実装構造に係り、上記振動板に形成された所定の角部を構成する２つの上記側壁部には、それぞれ、上記第１の突当て部及び上記第２の突当て部が形成され、上記筐体には凹部が形成され、上記凹部に形成された所定の隅部を構成する２つの内壁部には、それぞれ、上記第１の突起部及び上記第２の突起部が形成されていることを特徴としている。
【００２１】
また、請求項７記載の発明は、請求項５又は６記載の電子機器におけるフラットパネルスピーカの実装構造に係り、上記振動板の裏面の所定の部位には、上記振動板を振動させるアクチュエータが配置され、上記第１の突当て部及び上記第２の突当て部は、上記アクチュエータが配置された部位から所定の距離以上離隔した部位に形成されていることを特徴としている。
【００２２】
また、請求項８記載の発明は、請求項５、６又は７記載の電子機器におけるフラットパネルスピーカの実装構造に係り、上記第１の突当て部及び上記第２の突当て部は、放射される音波の音圧の時間的平均値及び振幅が比較的小さい部位に形成されていることを特徴としている。
【００２３】
また、請求項９記載の発明は、請求項１乃至８のいずれか１に記載の電子機器におけるフラットパネルスピーカの実装構造に係り、上記第１の突起部及び上記第２の突起部は、断面の輪郭が外方に凸の滑らかな曲線からなるように形成され、上記第１の突起部及び上記第１の突当て部と、上記第２の突起部及び上記第２の突当て部とは、少なくとも平面視で点状に接触していることを特徴としている。
【００２４】
また、請求項１０記載の発明は、請求項１乃至９のいずれか１に記載の電子機器におけるフラットパネルスピーカの実装構造に係り、上記振動板は、所定の対称軸に対して線対称な平板状部材からなり、上記第１の方向は、上記対称軸に平行か又は直交し、上記第２の方向は、上記第１の方向に直交していることを特徴としている。
【００２５】
また、請求項１１記載の発明は、請求項１乃至１０のいずれか１に記載の電子機器におけるフラットパネルスピーカの実装構造に係り、上記振動板は、上記振動板の裏面に接着され上記振動板を支持する支持部材を介して、上記筐体の上記載置面上に載置されていることを特徴としている。
【００２６】
また、請求項１２記載の発明は、請求項１乃至１１のいずれか１に記載の電子機器におけるフラットパネルスピーカの実装構造に係り、上記筐体の上記凹部の底部には、開口が形成され、上記載置面は、上記開口の縁部を構成し、上記振動板は、上記開口を覆うように取り付けられていることを特徴としている。
【００２７】
また、請求項１３記載の発明は、請求項１２記載の電子機器におけるフラットパネルスピーカの実装構造に係り、上記支持部材は、扁平な枠状部材からなり、その内壁面が上記開口を囲むように配置され、上記開口から上記筐体の中に塵埃を含む異物が入るのを防止するための異物侵入防止機能を有していることを特徴としている。
【００２８】
また、請求項１４記載の発明は、請求項１１、１２又は１３記載の電子機器におけるフラットパネルスピーカの実装構造に係り、上記支持部材は、上記振動板に接着された状態で、上記振動板の振動に従って、少なくとも厚さ方向に沿って変形しながら上記振動板を支持することを特徴としている。
【００２９】
また、請求項１５記載の発明は、請求項１乃至１４のいずれか１に記載の電子機器におけるフラットパネルスピーカの実装構造に係り、上記アクチュエータは圧電素子を有してなり、上記振動板の所定の部位に接触していることを特徴としている。
【００３０】
また、請求項１６記載の発明は、請求項１２乃至１５のいずれか１に記載の電子機器におけるフラットパネルスピーカの実装構造に係り、上記電子機器は、文字情報又は画像情報を表示するための表示手段を備え、上記振動板は、透明部材からなり、上記表示手段の表示画面を保護するためのスクリーン部材を兼ねることを特徴としている。
【００３１】
また、請求項１７記載の発明は、電子機器の筐体に取り付けられ、フラットパネルスピーカを構成し、振動して音波を放射させる振動板に係り、当該振動板の側壁部には、当該振動板を上記筐体に取り付ける際に、当該振動板を上記筐体に対して位置決めされた状態で上記筐体の載置面に載置するための第１の突起部及び第２の突起部が形成され、当該振動板は、互いに交差し、共に上記載置面に略平行な第１の方向及び第２の方向に沿って、上記筐体に対して位置決めがなされ、上記第１の突起部が、上記筐体に形成された第１の突当て部に突き当てられることによって、上記第１の方向に沿って、当該振動板の上記筐体に対する位置決めがなされると共に、上記第２の突起部が、上記筐体に形成された第２の突当て部に突き当てられることによって、上記第２の方向に沿って、当該振動板の上記筐体に対する位置決めがなされることを特徴としている。
【００３２】
また、請求項１８記載の発明は、請求項１７記載の振動板に係り、凹部が形成され、上記凹部に形成された所定の隅部を構成する２つの内壁部には、それぞれ、上記第１の突当て部及び上記第２の突当て部が形成されている上記筐体に取り付けられ、所定の角部を構成する２つの上記側壁部には、それぞれ、上記第１の突起部及び上記第２の突起部が形成されていることを特徴としている。
【００３３】
また、請求項１９記載の発明は、請求項１７又は１８記載の振動板に係り、裏面の所定の部位には、当該振動板を振動させるアクチュエータが配置され、上記第１の突起部及び上記第２の突起部は、上記アクチュエータが配置された部位から所定の距離以上離隔した部位に形成されていることを特徴としている。
【００３４】
また、請求項２０記載の発明は、請求項１７、１８又は１９記載の振動板に係り、上記第１の突起部及び上記第２の突起部は、放射される音波の音圧の時間的平均値及び振幅が比較的小さい部位に形成されていることを特徴としている。
【００３５】
また、請求項２１記載の発明は、請求項１７乃至２０のいずれか１に記載の振動板に係り、上記第１の突起部及び上記第２の突起部は、断面の輪郭が外方に凸の滑らかな曲線からなるように形成され、上記第１の突起部及び上記第１の突当て部と、上記第２の突起部及び上記第２の突当て部とは、少なくとも平面視で点状に接触していることを特徴としている。
【００３６】
また、請求項２２記載の発明は、請求項１７乃至２１のいずれか１に記載の振動板に係り、所定の対称軸に対して線対称な平板状部材からなり、上記第１の方向は、上記対称軸に平行か又は直交し、上記第２の方向は、上記第１の方向に直交していることを特徴としている。
【００３７】
また、請求項２３記載の発明は、請求項１７乃至２２のいずれか１に記載の振動板に係り、裏面に当該振動板を支持する支持部材が接着され、該支持部材を介して、上記筐体の上記載置面上に載置されることを特徴としている。
【００３８】
また、請求項２４記載の発明は、請求項１７乃至２３のいずれか１に記載の振動板に係り、上記凹部の底部に開口が形成され、上記載置面が上記開口の縁部を構成している上記筐体に、上記開口を覆うように取り付けられることを特徴としている。
【００３９】
また、請求項２５記載の発明は、請求項２４記載の振動板に係り、上記支持部材は、扁平な枠状部材からなり、その内壁面が上記開口を囲むように配置され、上記開口から上記筐体の中に塵埃を含む異物が入るのを防止するための異物侵入防止機能を有していることを特徴としている。
【００４０】
また、請求項２６記載の発明は、請求項２３、２４又は２５記載の振動板に係り、上記支持部材は、当該振動板に接着された状態で、当該振動板の振動に従って、少なくとも厚さ方向に沿って変形しながら当該振動板を支持することを特徴としている。
【００４１】
また、請求項２７記載の発明は、請求項２４、２５又は２６のいずれか１に記載の振動板に係り、上記電子機器は、文字情報又は画像情報を表示するための表示手段を備え、当該振動板は、透明部材からなり、上記表示手段の表示画面を保護するためのスクリーン部材を兼ねることを特徴としている。
【００４２】
また、請求項２８記載の発明は、電子機器の筐体に実装され、振動板を振動させて音波を放射させるフラットパネルスピーカに係り、上記振動板の側壁部には、上記振動板を上記筐体に取り付ける際に、上記振動板を上記筐体に対して位置決めされた状態で上記筐体の載置面に載置するための第１の突起部及び第２の突起部が形成され、上記振動板は、互いに交差し、共に上記載置面に略平行な第１の方向及び第２の方向に沿って、上記筐体に対して位置決めがなされ、上記第１の突起部が、上記筐体に形成された第１の突当て部に突き当てられることによって、上記第１の方向に沿って、上記振動板の上記筐体に対する位置決めがなされると共に、上記第２の突起部が、上記筐体に形成された第２の突当て部に突き当てられることによって、上記第２の方向に沿って、上記振動板の上記筐体に対する位置決めがなされることを特徴としている。
【００４３】
また、請求項２９記載の発明は、請求項２８記載のフラットパネルスピーカに係り、凹部が形成され、上記凹部に形成された所定の隅部を構成する２つの内壁部には、それぞれ、上記第１の突当て部及び上記第２の突当て部が形成されている上記筐体に取り付けられ、上記振動板に形成された所定の角部を構成する２つの上記側壁部には、それぞれ、上記第１の突起部及び上記第２の突起部が形成されていることを特徴としている。
【００４４】
また、請求項３０記載の発明は、請求項２８又は２９記載のフラットパネルスピーカに係り、上記振動板の裏面の所定の部位に、上記振動板を振動させるアクチュエータが配置され、上記第１の突起部及び上記第２の突起部は、上記アクチュエータが配置された部位から所定の距離以上離隔した部位に形成されていることを特徴としている。
【００４５】
また、請求項３１記載の発明は、請求項２８、２９又は３０記載のフラットパネルスピーカに係り、上記第１の突起部及び上記第２の突起部は、放射される音波の音圧の時間的平均値及び振幅が比較的小さい部位に形成されていることを特徴としている。
【００４６】
また、請求項３２記載の発明は、請求項２８乃至３１のいずれか１に記載のフラットパネルスピーカに係り、上記第１の突起部及び上記第２の突起部は、断面の輪郭が外方に凸の滑らかな曲線からなるように形成され、上記第１の突起部及び上記第１の突当て部と、上記第２の突起部及び上記第２の突当て部とは、少なくとも平面視で点状に接触していることを特徴としている。
【００４７】
また、請求項３３記載の発明は、請求項２８乃至３２のいずれか１に記載のフラットパネルスピーカに係り、上記振動板は、所定の対称軸に対して線対称な平板状部材からなり、上記第１の方向は、上記対称軸に平行か又は直交し、上記第２の方向は、上記第１の方向に直交していることを特徴としている。
【００４８】
また、請求項３４記載の発明は、請求項２８乃至３３のいずれか１に記載のフラットパネルスピーカに係り、上記振動板は、上記振動板の裏面に接着され上記振動板を支持する支持部材を介して、上記筐体の上記載置面上の載置されることを特徴としている。
【００４９】
また、請求項３５記載の発明は、請求項２８乃至３４のいずれか１に記載のフラットパネルスピーカに係り、上記凹部の底部に開口が形成され、上記載置面が上記開口の縁部を構成している上記筐体に、上記振動板が上記開口を覆うように取り付けられることを特徴としている。
【００５０】
また、請求項３６記載の発明は、請求項３５記載のフラットパネルスピーカに係り、上記支持部材は、扁平な枠状部材からなり、その内壁面が上記開口を囲むように配置され、上記開口から上記筐体の中に塵埃を含む異物が入るのを防止するための異物侵入防止機能を有していることを特徴としている。
【００５１】
また、請求項３７記載の発明は、請求項３４、３５又は３６記載のフラットパネルスピーカに係り、上記支持部材は、上記振動板に接着された状態で、上記振動板の振動に従って、少なくとも厚さ方向に沿って変形しながら上記振動板を支持することを特徴としている。
【００５２】
また、請求項３８記載の発明は、請求項２８乃至３７のいずれか１に記載のフラットパネルスピーカに係り、上記アクチュエータは圧電素子を有してなり、上記振動板の所定の部位に接触していることを特徴としている。
【００５３】
また、請求項３９記載の発明は、請求項３５乃至３８のいずれか１に記載のフラットパネルスピーカに係り、上記電子機器は、文字情報又は画像情報を表示するための表示手段を備え、上記振動板は、透明部材からなり、上記表示手段の表示画面を保護するためのスクリーン部材を兼ねることを特徴としている。
【００５４】
また、請求項４０記載の発明に係る電子機器は、請求項１乃至１６のいずれか１に記載の電子機器におけるフラットパネルスピーカの実装構造を備えたことを特徴としている。
【００５５】
また、請求項４１記載の発明は、振動板を振動させて音波を放射させるフラットパネルスピーカを、電子機器の筐体に取り付けるためのフラットパネルスピーカの実装方法に係り、側壁部に、上記筐体に対して位置決めされた状態で上記筐体の載置面に載置するための第１の突起部及び第２の突起部が形成された上記振動板と、それぞれ、上記第１の突起部及び上記第２の突起部が突き当てられる第１の突当て部及び第２の突当て部が形成された上記筐体とを用意し、上記第１の突起部を上記第１の突当て部に突き当てて、互いに交差し、共に上記載置面に略平行な第１の方向と第２の方向とのうち、上記第１の方向に沿って、上記振動板の上記筐体に対する位置決めを行うと共に、上記第２の突起部を上記第２の突当て部に突き当てて、上記第２の方向に沿って、上記振動板の上記筐体に対する位置決めを行うことを特徴としている。
【００５６】
また、請求項４２記載の発明は、請求項４１記載の電子機器におけるフラットパネルスピーカの実装方法に係り、上記振動板に形成された所定の角部を構成する２つの上記側壁部には、それぞれ、上記第１の突起部及び上記第２の突起部が形成され、上記筐体には凹部が形成され、上記凹部に形成された隅部を構成する２つの内壁部には、それぞれ、上記第１の突当て部及び上記第２の突当て部が形成されていることを特徴としている。
【００５７】
また、請求項４３記載の発明は、請求項４１又は４２記載の電子機器におけるフラットパネルスピーカの実装方法に係り、上記振動板の裏面の所定の部位には、上記振動板を振動させるアクチュエータが配置され、上記第１の突起部及び上記第２の突起部は、上記アクチュエータが配置された部位から所定の距離以上離隔した部位に形成されていることを特徴としている。
【００５８】
また、請求項４４記載の発明は、請求項４１、４２又は４３記載の電子機器におけるフラットパネルスピーカの実装方法に係り、上記第１の突起部及び上記第２の突起部は、放射される音波の音圧の時間的平均値及び振幅が比較的小さい部位に形成されていることを特徴としている。
【００５９】
また、請求項４５記載の発明は、振動板を振動させて音波を放射させるフラットパネルスピーカを、電子機器の筐体に取り付けるためのフラットパネルスピーカの実装方法に係り、上記振動板を上記筐体に対して位置決めされた状態で上記筐体の載置面に載置するための第１の突起部及び第２の突起部が形成された上記筐体と、その側壁部に、それぞれ、上記第１の突起部及び上記第２の突起部が突き当てられる第１の突当て部及び第２の突当て部が形成された上記振動板とを用意し、上記第１の突起部を上記第１の突当て部に突き当てて、互いに交差し、共に上記載置面に略平行な第１の方向と第２の方向とのうち、上記第１の方向に沿って、上記振動板の上記筐体に対する位置決めを行うと共に、上記第２の突起部を上記第２の突当て部に突き当てて、上記第２の方向に沿って、上記振動板の上記筐体に対する位置決めを行うことを特徴としている。
【００６０】
また、請求項４６記載の発明は、請求項４５記載の電子機器におけるフラットパネルスピーカの実装方法に係り、上記振動板に形成された所定の角部を構成する２つの上記側壁部には、それぞれ、上記第１の突当て部及び上記第２の突当て部が形成され、上記筐体には凹部が形成され、上記凹部に形成された隅部を構成する２つの内壁部には、それぞれ、上記第１の突起部及び上記第２の突起部が形成されていることを特徴としている。
【００６１】
また、請求項４７記載の発明は、請求項４５又は４６記載の電子機器におけるフラットパネルスピーカの実装方法に係り、上記振動板の裏面の所定の部位には、上記振動板を振動させるアクチュエータが配置され、上記第１の突当て部及び上記第２の突当て部は、上記アクチュエータが配置された部位から所定の距離以上離隔した部位に形成されていることを特徴としている。
【００６２】
また、請求項４８記載の発明は、請求項４５、４６又は４７記載の電子機器におけるフラットパネルスピーカの実装方法に係り、上記第１の突当て部及び上記第２の突当て部は、放射される音波の音圧の時間的平均値及び振幅が比較的小さい部位に形成されていることを特徴としている。
【００６３】
また、請求項４９記載の発明は、請求項４１乃至４８のいずれか１に記載の電子機器におけるフラットパネルスピーカの実装方法に係り、上記第１の突起部及び上記第２の突起部は、断面の輪郭が外方に凸の滑らかな曲線からなるように形成され、上記第１の突起部及び上記第１の突当て部と、上記第２の突起部及び上記第２の突当て部とは、少なくとも平面視で点状に接触していることを特徴としている。
【００６４】
また、請求項５０記載の発明は、請求項４１乃至４９のいずれか１に記載の電子機器におけるフラットパネルスピーカの実装方法に係り、上記振動板は、所定の対称軸に対して線対称な平板状部材からなり、上記第１の方向は、上記対称軸に平行か又は直交し、上記第２の方向は、上記第１の方向に直交していることを特徴としている。
【００６５】
また、請求項５１記載の発明は、請求項４１乃至５０のいずれか１に記載の電子機器におけるフラットパネルスピーカの実装方法に係り、上記振動板を、上記振動板の裏面に接着され上記振動板を支持する支持部材を介して、上記筐体の上記載置面上に載置することを特徴としている。
【００６６】
また、請求項５２記載の発明は、請求項４１乃至５１のいずれか１に記載の電子機器におけるフラットパネルスピーカの実装方法に係り、上記筐体の上記凹部の底部には、開口が形成され、上記載置面は、上記開口の縁部を構成し、上記振動板を、上記開口を覆うように取り付けることを特徴としている。
【００６７】
また、請求項５３記載の発明は、請求項５２記載の電子機器におけるフラットパネルスピーカの実装方法に係り、上記支持部材は、扁平な枠状部材からなり、その内壁面が上記開口を囲むように、上記開口から上記筐体の中に塵埃を含む異物が入るのを防止するために配置することを特徴としている。
【００６８】
また、請求項５４記載の発明は、請求項５１、５２又は５３記載の電子機器におけるフラットパネルスピーカの実装方法に係り、上記支持部材は、上記振動板に接着された状態で、上記振動板の振動に従って、少なくとも厚さ方向に沿って変形しながら上記振動板を支持することを特徴としている。
【００６９】
また、請求項５５記載の発明は、請求項４１乃至５４のいずれか１に記載の電子機器におけるフラットパネルスピーカの実装方法に係り、上記アクチュエータは圧電素子を有してなり、上記振動板の所定の部位に接触していることを特徴としている。
【００７０】
また、請求項５６記載の発明は、請求項５２乃至５５のいずれか１に記載の電子機器におけるフラットパネルスピーカの実装方法に係り、上記電子機器は、文字情報又は画像情報を表示するための表示手段を備え、上記振動板は、透明部材からなり、上記表示手段の表示画面を保護するためのスクリーン部材を兼ねることを特徴としている。
【発明の効果】
【００７１】
この発明の構成によれば、第１の突起部が第１の突当て部に突き当てられることによって、第１の方向に沿って、振動板の筐体に対する位置決めがなされ、かつ、第２の突起部が第２の突当て部に突き当てられることによって、第２の方向に沿って、振動板の筐体に対する位置決めがなされて、振動板が筐体に対して位置決めされて取り付けられた状態で、振動板と筐体とは、第１の突起部と第１の突当て部との接触部位、及び第２の突起部と第２の突当て部との接触部位でのみ接触し、振動板の側面部が筐体によって、押えられる領域が大幅に狭くされ、筐体によって振動板の振動が妨げられることを抑制することができるので、振動板の筐体に対する位置決めを、確実かつ正確に行うことができると共に、フラットパネルスピーカの音響特性を向上させることができる。
【発明を実施するための最良の形態】
【００７２】
第１の突起部が第１の突当て部に突き当てられることによって、第１の方向に沿って、振動板の筐体に対する位置決めがなされ、かつ、第２の突起部が第２の突当て部に突き当てられることによって、第２の方向に沿って、振動板の筐体に対する位置決めがなされて、振動板が筐体に対して位置決めされて取り付けられた状態で、振動板と筐体とは、第１の突起部と第１の突当て部との接触部位、及び第２の突起部と第２の突当て部との接触部位でのみ接触することによって、振動板の側面部が筐体によって、押えられる領域が大幅に狭くされ、筐体によって振動板の振動が妨げられることが抑制され、振動板の筐体に対する位置決めを、確実かつ正確に行うと共に、フラットパネルスピーカの音響特性を向上させるという目的を実現した。
【実施例】
【００７３】
図１は、この発明の一実施例である携帯電話機の上部ユニットを分解して表面側から見た図であって、同上部ユニットの構成を示す分解斜視図、図２は、同携帯電話機の上部ユニットを分解して裏面側から見た図であって、同上部ユニットの構成を示す分解斜視図、図３は、同携帯電話機の構成を示すブロック図、図４は、同上部ユニットの構成を示す平面図、図５は、図４のＡ−Ａ線に沿った断面図、図６は、図４のＢ−Ｂ線に沿った断面図、図７は、同携帯電話機の音声出力部の振動板の構成を示す斜視図、図８は、図７のＤ部を拡大して示す拡大図、図９は、同携帯電話機の筐体に同振動板が位置決めされた状態で配置された様子を示す図であって、図８のＥ−Ｅ線に沿った断面図、図１０は、同筐体に同振動板が位置決めされた状態で配置された様子を示す図であって、図８のＦ−Ｆ線に沿った断面図、図１１は、図６のＣ部を拡大して示す拡大断面図、図１２は、同音声出力部の構成を示すブロック図、図１３は、同ガスケット部材の構成を示す平面図、図１４は、同振動板に同ガスケット部材が取り付けられた状態を示す下面図、図１５は、同振動板に同ガスケット部材及びアクチュエータモジュールが取り付けられた状態を示す下面図、また、図１６は、同振動板の同筐体への取付方法を説明するための分解斜視図である。
【００７４】
この例の携帯電話機１は、折畳可能な筐体を備えると共に、本来の通話機能のほか、例えば電子メールの送受信やインターネットに接続してホームページの閲覧が可能なデータ通信機能を有し、図１乃至図３に示すように、上部ユニット２と下部ユニット３とが、互いに開閉自在で、かつ、開閉を行うための回動軸に直交する回動軸の周りにも一方のユニットが他方のユニットに対して回動自在に２軸ヒンジ部４で相互に結合されて構成されている。
【００７５】
上側ユニット２は、図１乃至図３に示すように、折畳可能な扁平な筐体を構成する上部筐体６に、例えば受話音声を出力する音声出力部７と、音声出力部７を駆動するための圧電駆動部８と、液晶表示装置からなり例えば機能設定画面や、待受画面等が表示される表示部９と、ＬＥＤを有し例えば着信時や通話時に発光する発光部１１とが実装されて概略構成されている。
筐体６は、共に例えばマグネシウム合金製のダイカスト成形品からなり、正面側を構成するフロントケース１２と、裏面側を構成するリアカバー１３とを有し、組み合されたフロントケース１２とリアカバー１３とが嵌合によって、又は雌ねじや雄ねじ等の固定具による締付けによって、音声出力部７や表示部９、発光部１１が内部に収納され、又は取り付けられた状態で、組み立てられてなっている。
【００７６】
フロントケース１２は、液晶表示パネル４１の表示画面を露出させるための開口部１４が中央部に形成された矩形状の平板部１５の周縁に側壁部１６が立設された形状に概略成形されている。
平板部１５のうち、側壁部１６の内壁面からは側方（内部側）に突設された開口部１４の縁部１７の上面は、後述するガスケット部材３３を介して振動板３１を載せる載置面１７ｍとされている。
また、リアカバー１３は、矩形状の平板部１８の周縁に側壁部１９が立設された形状に概略成形されてなっている。
【００７７】
下部ユニット３は、折畳可能な扁平な筐体を構成する下部筐体に、図３に示すように、当該携帯電話機本体の構成各部を制御する制御部２２と、制御部２２が実行する処理プログラムや各種データ等を記憶するための記憶部２３と、アンテナ２５を介して無線電波の送受信を行い、所定のプロトコルに従って通話やデータ通信を行うために用いられる無線通信部２６と、数字や文字の入力操作等を行うための多数の各種操作キー等からなる操作部２７と、送話音声を入力するマイクロフォンからなる送話部２８と、着信時に着信音を発生するためのリンガ発生部２９とが実装されて概略構成されている。
【００７８】
音声出力部７は、図１乃至図１５に示すように、例えばアクリル樹脂製の透明部材からなり、液晶表示パネル４１を保護するスクリーン部材を兼ねる振動板３１と、圧電素子を有し振動板３１を振動させて音波を放射させるアクチュエータモジュール３２と、例えばシリコーンゴムからなり上部筐体６内部への塵埃等の異物の侵入を防止するための扁平な枠状のガスケット部材３３と、ガスケット部材３３の内側に配置され例えば発泡ウレタンからなり内部への塵埃の侵入を防止して、液晶表示パネル４１表面への塵埃の付着を防止するための枠状の防塵クッション部材３４とを備えてなっている。ここで、振動板３１とアクチュエータモジュール３２とは、フラットパネルスピーカ３５を構成している。
【００７９】
振動板３１は、平面視で略矩形状を呈し、４つの角部３１ａ，３１ａ，…を有し、各角部３１ａの矩形の長辺側及び短辺側の側壁面には、それぞれ、位置決め用の突起部３１ｍ、突起部３１ｎが形成されている。
この例では、振動板３１は、４つの角部３１ａ，３１ａ，…のうちの所定の角部３１ａが、対応するフロントケース１２の側壁部１６の内壁面の隅部に突き当てられて、位置決めがなされた状態で、フロントケース１２に取り付けられている。
すなわち、角部３１ａの突起部３１ｍが、フロントケース１２の側壁部１６の対応する隅部１２ａの側壁面１６ｍに、突起部３１ｎが、この隅部１２ａの側壁面１６ｎに、それぞれ、突き当てられることによって、振動板３１の位置決めがなされ、この状態で、載置面１７ｍに接着されたガスケット部材３３を介して、フロントケース１２に取り付けられている。
【００８０】
振動板３１は、図８及び図９に示すように、その上部が断面略台形状に成形され、突起部３１ｍ（突起部３１ｎ）は、その断面が所定の曲率の円弧状の曲面３１ｓを有し、側壁面１６ｍ（側壁面１６ｎ）に対して、線状に（平面視では点状に）接触している。また、突起部３１ｍ（突起部３１ｎ）は、振動板３１の厚さ方向の下部側に形成され、振動板３１は、上部側では、フロントケース１２に対して非接触状態を保つように構成されている。
また、この例では、突起部３１ｍ（突起部３１ｎ）の形成部位としては、放射される音波の音圧の時間的平均値が比較的小さく（例えば、０近傍）、かつ、振幅が比較的小さい（例えば、０近傍）部位（例えば、節点に相当するような部位）が選定される。
【００８１】
このため、従来技術のように、面状に（平面視では線状に）、かつ、側壁面の厚さ方向について略全面で接触していた場合に比べて、振動板３１は、その側部がフロントケース１２によって、押えられる領域が大幅に狭くされており、フロントケース１２によって振動が妨げられることが抑制される。したがって、フロントケース１２による音響特性への悪影響（音質や音量の低下等）が低減される。さらに、突起部３１ｍ（突起部３１ｎ）の形成部位として、音圧の時間的平均値が比較的小さく、振幅も比較的小さい部位が選定されることによって、音響特性の向上が図られる。
なお、振動板３１の矩形状の表示画面領域に対応する領域の外部領域には、遮光材料が塗布され、振動板３１が位置決めされた状態で、この表示画面領域は、液晶表示パネル４１の表示領域に対してずれることなく重ねられている。
【００８２】
アクチュエータモジュール３２は、制御部２２によって制御される圧電駆動部８を介して、増幅された駆動信号を受け取って、電気信号としての駆動信号を音響信号に変換して振動板３１を振動させる。
この例では、アクチュエータモジュール３２は、振動板３１の裏面の所定の部位に例えば両面粘着テープを用いて接着されている。なお、アクチュエータモジュール３２の裏面側には、フレキシブルプリント配線板（以下、ＦＰＣ（Flexible Printed Circuit）という）を保護するためのクッション部材４５が配置される。
【００８３】
ガスケット部材３３は、図６に示すように、共に枠状の両面粘着シート３７，３８を介して、それぞれ、振動板３１、フロントケース１２の載置面１７ｍに接着されている。
両面粘着シート３７（３８）は、図１１に示すように、ＰＥＴからなる基体３７ａ（３８ａ）の両面にアクリル系接着剤層３７ｍ（３８ｍ）とシリコン系接着剤層３７ｎ（３８ｎ）とが形成されてなっている。
振動板３１は、このように、ガスケット部材３３を介して、フロントケース１２に取り付けられている。
【００８４】
ガスケット部材３３は、例えばシリコーンゴムからなっており、振動板３１に接着された状態で、振動板３１の振動に従って、少なくとも厚さ方向に沿って比較的容易に変形しながら振動板３１を支持すると共に、開口１４から上部筐体６の中に塵埃等の異物が入るのを防止する。
なお、ガスケット部材３３は、振動板３１よりもその外形寸法が若干小さく設定されている。
また、防振クッション部材３４は、ガスケット部材３３の内側（この例では、ガスケット部材３３の内壁面３３ａによって、その側部が囲まれ、上方が振動板３１によって覆われ、かつ、下方には液晶表示パネル４１が配置された隙間空間内）に、表示画面領域の周縁部を囲むように配置される。
【００８５】
この例のフラットパネルスピーカ実装構造３６は、振動板３１が、振動が伝達されるように所定の部位でアクチュエータモジュール３２に当接状態で取り付けられ、かつ、角部３１ａの突起部３１ｍが、フロントケース１２の側壁部１６の対応する隅部１２ａの側壁面１６ｍに、突起部３１ｎが、この隅部１２ａの側壁面１６ｎに、それぞれ、突き当てられることによって、振動板３１の位置決めがなされて、例えばシリコンゴムからなる枠状のガスケット部材３３を介して、フロントケース１２に取り付けられて概略構成されている。
ここで、ガスケット部材３３は、共に枠状の両面粘着シート３７，３８を介して、それぞれ、振動板３１、フロントケース１２の載置面１７ｍに接着されている。
これによって、ガスケット部材３３は、振動板３１の振動を妨げずに支持し、かつ、上部筐体６内部への塵埃等の異物の侵入を防止する。
【００８６】
表示部９は、上側筐体６の内側の面に配設され例えば透過型の液晶表示装置を有してなっている。液晶表示装置は、液晶表示パネル４１と、液晶表示パネル４１に照明光を与えるバックライト装置と、液晶表示パネル４１を駆動する駆動回路と、液晶表示パネル４１やバックライト装置を保持する保持フレーム４２とを有してなっている。
液晶表示パネル４１は、例えばＴＦＴ（Thin Film Transistor）構造の透過型の液晶表示パネルであり、ＴＦＴと透明画素電極とが多数形成されているＴＦＴ基板と、ＴＦＴ基板と数［μm］の間隙を介して対向して固定され、着色層（カラーフィルタ）が形成された対向基板と、上記間隙に封入された液晶層と、ＴＦＴ基板、対向基板の外側に配設された一対の偏向板とを有している。
【００８７】
バックライト装置は、点状光源としての複数のＬＥＤからなる光源ユニットと、光源ユニットから出射した光を受光し面状の照明光を液晶表示パネル４１へ向けて出射する導光板、輝度のばらつきを補正するための拡散シート及び導光板側から入射した照明光を集光するプリズムシートを含む光学部材群とを有してなり、液晶表示パネル４１に裏面側から照明光を照射して、液晶表示パネル４１を透過した光を観察者に視認させる。
保持フレーム４２の表面側（振動板３１側）には、光学部材群が配設され、光学部材群を保持フレーム４２との間に挟んだ状態で、例えば、枠状の両面粘着シートを介して液晶表示パネル４１が固定されている。
【００８８】
保持フレーム４２の背面側（リアカバー側）には、絶縁性基板に所定の回路パターンが形成され電子部品が搭載されてなる配線基板４３が取り付けられ、この配線基板４３と、液晶表示パネル４１及び光源ユニットとは、それぞれ、ＦＰＣを介して電気的に接続されている。
液晶表示パネル４１や光源ユニット、配線基板４３等は、保持フレーム４２に取り付けられた状態で、上部筐体６を構成するフロントケース１２とリアカバー１３とによって、固定具を用いて上下方向から押さえられるようにして、上部筐体６内に格納される。
【００８９】
制御部２２は、ＣＰＵ（中央処理装置）等を有してなり、記憶部２３に記憶された各種処理プログラムを実行し、記憶部２３に確保された各種レジスタやフラグを用いて、構成各部を制御し、通信制御処理や、表示・操作制御処理等を実行する。
記憶部２３は、ＲＯＭ、ＲＡＭ等の半導体メモリ等からなり、制御部２２が実行する通信制御処理プログラムや、表示・操作制御処理プログラム、ブラウザ、メーラ等の各種処理プログラム等が記憶されたプログラム記憶領域と、各機能の設定情報や、通信履歴情報、電話帳情報、文字メッセージ情報、音声付き動画ファイル等の各種情報が記憶された情報記憶領域とを有すると共に、この記憶部２３には、制御部２２がプログラム実行時に用いる各種レジスタやフラグが確保されている。
【００９０】
無線通信部２６は、ＲＦ回路や、変復調回路、ベースバンド処理回路等からなり、音声やデータを変調してアンテナ２５を介して無線電波として送信すると共に、無線電波をアンテナ２５を介して受信して音声やデータに復調し、所定のプロトコルに従って通話やデータ通信を行うために用いられる。
【００９１】
操作部２７は、ブラウザを起動させてホームページを閲覧するためのブラウザモード選択キー、操作を決定するために用いられる決定キー、操作メニューを表示させるためのメニューキー、文字入力モードを切り換えるための入力モード切替えキー、電話帳を登録したり検索するための電話帳キー、音声通話を行うために用いる通話開始キー、操作を１つ前の状態へ戻すクリアキー、及び電源の入切りを行った各種操作を中止するために用いられる電源キーを含む機能キー群と、表示部９に表示された表示画面上のカーソルを上下左右方向へ移動させるためのカーソルキーと、例えば数字等を入力するためのテンキー群とを有している。
【００９２】
２軸ヒンジ部４は、図１及び図２示すように、上部筐体６に取り付けられて上部筐体６に固定された基台板５１と、基台板５１によって回動自在に軸支されて、先端部が上部ユニット２の表示部９の表示画面に対して平行に突出する回動軸部５２と、この回動軸部５２の先端部で回動軸部５２に対して直角に配置されて回動自在に軸支された回動軸部５３とを有している。
回動軸部５３の周りの下部筐体に対する上部筐体６の回動によって、上部ユニット２と下部ユニット３とが折り畳まれ、回動軸部５２の周りの上部筐体６に対する下部筐体の回動によって、上部ユニット２の表示面を含む平面と下部ユニット３の操作面を含む平面とが交差しながら上部ユニット２が回動する。
【００９３】
この例の携帯電話機１を組み立てるには、まず、図１、図２及び図１４に示すように、振動板３１の裏面の周縁部に枠状の両面粘着シート３７を介してガスケット部材３３を接着し、ガスケット部材３３の振動板３１に対向する側に両面粘着シート３８を貼り付ける。
次に、図１、図２及び図１５に示すように、アクチュエータモジュール３２を、振動板３１の裏面の所定の部位に、例えば両面粘着テープを用いて接着する。
次に、図１、図２及び図１６に示すように、振動板３１の４つの角部３１ａ，３１ａ，…のうちの所定の角部３１ａ（例えば、左上の角部３１ａ）を、対応するフロントケース１２の側壁部１６の内壁面の隅部に突き当てて、位置決めして、両面粘着シート３８を介してガスケット部材３３をフロントケース１２の載置面１７ｍに接着して、振動板３１をフロントケース１２に取り付ける。
【００９４】
ここで、角部３１ａの突起部３１ｍを、フロントケース１２の側壁部１６の対応する隅部１２ａの側壁面１６ｍに、突起部３１ｎを、この隅部１２ａの側壁面１６ｎに、それぞれ、突き当てて、振動板３１の位置決めを行い、この状態で、載置面１７ｍに接着されたガスケット部材３３を介して、フロントケース１２に取り付ける。
この状態で、突起部３１ｍ（突起部３１ｎ）は、側壁面１６ｍ（側壁面１６ｎ）に対して、線状に（平面視では点状に）接触している。
また、振動板３１が位置決めされた状態で、振動板３１の表示画面領域は、液晶表示パネル４１の表示領域に対してずれることなく重ねられている。
【００９５】
また、図１及び図２に示すように、保持フレーム４２の表面側（振動板３１が取り付けられる側）に、光学部材群を保持フレーム４２との間に挟んだ状態で、例えば、枠状の両面粘着シートを介して液晶表示パネル４１を固定する。
次に、図１及び図２に示すように、防塵クッション部材３４を、液晶表示パネル４１の周縁部に配置されるように、保持フレーム４２に取り付ける。
次に、裏面側に配線基板４３を重ねて組み付け、配線基板４３の端部に配置されたコネクタにＦＰＣの端部を接続する。
次に、液晶表示パネル４１や光源ユニット、配線基板４３等が取り付けられた保持フレーム４２に、振動板３１側からフロントケース１２を組み付ける。
【００９６】
次に、図１及び図２に示すように、振動板３１やアクチュエータモジュール３２、ガスケット部材３３等が取り付けられた部品群をフロントケース１２に貼り付け、アクチュエータモジュール３２と配線基板４３とをコネクタ接続する。次に、リアカバー１３を、組み合わせて、嵌合することによって、又は雌ねじや雄ねじ等の固定具によって締め付けて、携帯電話機１を組み立てる。
これによって、振動板３１は、所定の部位でアクチュエータモジュール３２に当接して、振動の伝達が可能となる。
【００９７】
こうして組み立てられた携帯電話機１において、筐体を開いた状態で、例えば着信があると、制御部１２は、リンガ発生部２９を制御して、着信音を発生されると共に、発光部１１を制御してＬＥＤを発光させ、着信通知を行う。
次に、操作部２７の通話開始キーの押下によって、通話が開始され、通話相手からの音声は、音声出力部７から出力される。
すなわち、制御部２２は、圧電駆動部８を制御して、増幅された駆動信号がアクチュエータモジュール３２に供給されるようにする。アクチュエータモジュール３２は、増幅された駆動信号を受け取って、電気信号としての駆動信号を音響信号に変換して振動板３１を振動させる。振動板３１からは、音波が直接放射される。
【００９８】
操作者（ユーザ）は、振動板３１を耳に当てなくても、例えば、携帯電話機１を正面に向けて、受話音声を聞き、送話部２８に向けて発声して、通話を行うことができる。ここで、受信データのなかに、画像（動画又は静止画）が付加されている場合は、操作者は、表示部９の表示画面を見ながら通話を行うことができる。
また、例えば、サイトからダウンロードしたプログラム（音声付き動画ファイル等）を実行する場合に、筐体を開いた状態で、画像が表示部９に表示されると共に、音声は音声出力部７の振動板３１から放射される。
また、メール読上機能を用いる場合にも、振動板３１から音声が放射される。
【００９９】
振動板３１は、その側面部がフロントケース１２によって押えられる領域が、大幅に狭くされており、フロントケース１２によって振動が妨げられることが抑制される。したがって、フロントケース１２による音響特性への悪影響（音質や音量の低下等）が低減される。さらに、突起部３１ｍ（突起部３１ｎ）の形成部位として、音圧の時間的平均値が比較的小さく、振幅も比較的小さい部位が選定されることによって、音響特性の向上が図られる。
また、ガスケット部材３３が、振動板３１の振動を妨げずに支持することによって、振動板３１からは確実に音声が放射され、比較的離れていても操作者（ユーザ）は、音声を明瞭に聴くことができる。
【０１００】
このように、この例の構成によれば、振動板３１は、４つの角部３１ａ，３１ａ，…のうちの所定の角部３１ａが、対応するフロントケース１２の側壁部１６の内壁面の隅部１２ａに突き当てられて配置されているので、確実かつ正確に位置決めがなされた状態で、フロントケース１２に取り付けることができる。
かつ、突起部３１ｍ，３１ｎは、側壁面１６ｍ，１６ｎに平面視で点状に接触しているので、従来技術のように、平面視で線状に、かつ、側壁面の厚さ方向について略全面で接触していた場合に比べて、振動板３１は、その側面部がフロントケース１２によって、押えられる領域が大幅に狭くされているため、フロントケース１２によって振動が妨げられることを抑制することができる。したがって、フロントケース１２による音響特性への悪影響（音質や音量の低下等）を低減することができる。
しかも、突起部３１ｍ（突起部３１ｎ）の形成部位として、音圧の時間的平均値が比較的小さく、振幅も比較的小さい部位が選定されることによって、一段と音響特性の向上を図ることができる。
【０１０１】
また、ガスケット部材３３が、振動板３１の振動を妨げずに支持するので、振動板３１からは確実に音声が放射され、比較的離れていても操作者は、音声を明瞭に聴くことができる。
また、操作者は、振動板３１を耳部に当てなくても、例えば、携帯電話機１を正面に向けた状態で、受話音声を聴くことができるので、従来技術のように、音孔位置から外れて音声が不明瞭になることなく、確実にかつ明瞭に受話音声を聴くことができると共に、耳部を携帯電話機１から離して、送話部２８に向けて発生して、通話を行うことができる。また、画像（動画又は静止画）が付加されている場合は、操作者は、表示部９の表示画面を見ながら音声を聴くことができる。
また、フラットパネルスピーカの採用によって、機器の薄型化及び小型化に寄与することができる。
【０１０２】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、振動板が表示部のスクリーン部材を兼ねる場合について述べたが、専用に設けるようにしても良い。この場合、振動板は透明でなくても良い。また、振動板の形状は、必ずしも平面視矩形状とは限らず、このほかの多角形状でも良いし、円形状や楕円形状としても良いし、不定形であっても良い。また、筐体は、金属製でも良いし、樹脂製としても良い。
【０１０３】
また、位置決め用の突起を筐体側に形成するようにしても良い。また、突起部の断面の円弧状の輪郭の曲率は任意に設定でき、図１７に示すように、突起部６１を、断面の円弧状の輪郭の曲率が比較的小さくなるように形成しても良いし、図１８に示すように、突起部７１を、断面の円弧状の輪郭の曲率が比較的大きくなるように形成しても良い。突起部の断面の輪郭の形状は、円弧状に限らず、任意の曲線となるようにしても良い。また、図１９に示すように、突起部８１を、振動板８２の厚さ方向の中央部に形成するようにしても良い。ここで、接触部位の形成位置は、振動板の中央部に限らず、上部でも良いし、下部でも良い。接触部位の厚さ方向の長さは、適宜変更できる。
【０１０４】
また、突起部を必ずしも４つの角に設ける必要はなく、少なくとも１箇所（例えば、アクチュエータモジュール３２から最も遠い部位に）設ければ良い。このように、接触箇所を最低限まで減らし、かつ、アクチュエータモジュール３２から最も遠い部位を選定することによって、音響特性を一段と向上させることができる。
また、音声出力部７を１箇所に設ける場合について述べたが、２箇所以上に設けるようにしても良い。この場合、設置位置は、上部ユニットでも下部ユニットでも良い。
【０１０５】
また、電子カメラユニットを付加して、撮影機能や、テレビ電話機能を持たせるようにしても良い。この場合、音声出力部７から撮影時に擬似シャッタ音を発生させるようにしても良い。
また、着信時に、音量を調整した上で、音声出力部７から着信音を出力させるように構成しても良い。
また、振動板は、両面粘着シートを用いずに、直接接着層を介してガスケット部材に接着するようにしても良いし、熱溶着によって接着するようにしても良い。
【０１０６】
また、ガスケット部材は接着以外の方法で、フロントケースに取り付けるようにしても良い。
また、回動軸部５２を上部筐体６の主面に対して平行である場合について述べたが、上側筐体６の主面に対して垂直であっても良い。この場合、上部ユニット２の表示面と下部ユニット３の操作面とが略平行関係を保ちながら上部ユニット２が回動する。
また、２軸ヒンジに限らず、開閉のみ可能な折畳式の携帯電話機にも適用できるし、折畳式以外のストレートタイプの携帯電話機にも適用できる。
【産業上の利用可能性】
【０１０７】
携帯型の電子機器としては、携帯電話機のほか、簡易型携帯電話（ＰＨＳ）端末や、携帯情報端末（ＰＤＡ）、携帯型のコンピュータに対して適用できる。また、携帯型の電子機器のほか、一般に、フラットパネルスピーカが実装された音響機器やコンピュータ等に対して適用できる。
【図面の簡単な説明】
【０１０８】
【図１】この発明の一実施例である携帯電話機の上部ユニットを分解して表面側から見た図であって、同上部ユニットの構成を示す分解斜視図である。
【図２】同携帯電話機の上部ユニットを分解して裏面側から見た図であって、同上部ユニットの構成を示す分解斜視図である。
【図３】同携帯電話機の構成を示すブロック図である。
【図４】同上部ユニットの構成を示す平面図である。
【図５】図４のＡ−Ａ線に沿った断面図である。
【図６】図４のＢ−Ｂ線に沿った断面図である。
【図７】同携帯電話機の音声出力部の振動板の構成を示す斜視図である。
【図８】図７のＤ部を拡大して示す拡大図である。
【図９】同携帯電話機の筐体に同振動板が位置決めされた状態で配置された様子を示す図であって、図８のＥ−Ｅ線に沿った断面図である。
【図１０】同筐体に同振動板が位置決めされた状態で配置された様子を示す図であって、図８のＦ−Ｆ線に沿った断面図である。
【図１１】図６のＣ部を拡大して示す拡大断面図である。
【図１２】同音声出力部の構成を示すブロック図である。
【図１３】同ガスケット部材の構成を示す平面図である。
【図１４】同振動板に同ガスケット部材が取り付けられた状態を示す下面図である。
【図１５】同振動板に同ガスケット部材及びアクチュエータモジュールが取り付けられた状態を示す下面図である。
【図１６】同振動板の同筐体への取付方法を説明するための分解斜視図である。
【図１７】この発明の一実施例の変形例である携帯電話機の振動板の突起部の構成を示す断面図である。
【図１８】この発明の一実施例の別の変形例である携帯電話機の振動板の突起部の構成を示す断面図である。
【図１９】この発明の一実施例のさらに別の変形例である携帯電話機の筐体に振動板が位置決めされた状態で配置された様子を示す断面図である。
【図２０】従来技術を説明するための説明図である。
【図２１】従来技術を説明するための説明図である。
【図２２】従来技術を説明するための説明図である。
【図２３】従来技術を説明するための説明図である。
【図２４】従来技術を説明するための説明図である。
【図２５】従来技術を説明するための説明図である。
【符号の説明】
【０１０９】
１      携帯電話機（電子機器）
２      上部ユニット
３      下部ユニット
４      ２軸ヒンジ部
６      上部筐体
７      音声出力部
９      表示部（表示手段）
１２      フロントケース
１２ａ      隅部
１３      リアカバー
１４    開口
１６      側壁部
１６ｍ      側壁面（第１の突当て部又は第２の突当て部）
１６ｎ      側壁面（第２の突当て部又は第１の突当て部）
１７      縁部
１７ｍ      載置面
３１，８２      振動板
３１ａ      角部
３１ｍ      突起部（第１の突起部又は第２の突起部）
３１ｎ      突起部（第２の突起部又は第１の突起部）
３２      アクチュエータモジュール（アクチュエータ）
３３      ガスケット部材（支持部材）
３４      防塵クッション部材
３５      フラットパネルスピーカ
３６      フラットパネルスピーカ実装構造
３７，３８      両面粘着シート
４１    液晶表示パネル
【図１】
2006186850.tif 000003
【図２】
2006186850.tif 000004
【図３】
2006186850.tif 000005
【図４】
2006186850.tif 000006
【図５】
2006186850.tif 000007
【図６】
2006186850.tif 000008
【図７】
2006186850.tif 000009
【図８】
2006186850.tif 000010
【図９】
2006186850.tif 000011
【図１０】
2006186850.tif 000012
【図１１】
2006186850.tif 000013
【図１２】
2006186850.tif 000014
【図１３】
2006186850.tif 000015
【図１４】
2006186850.tif 000016
【図１５】
2006186850.tif 000017
【図１６】
2006186850.tif 000018
【図１７】
2006186850.tif 000019
【図１８】
2006186850.tif 000020
【図１９】
2006186850.tif 000021
【図２０】
2006186850.tif 000022
【図２１】
2006186850.tif 000023
【図２２】
2006186850.tif 000024
【図２３】
2006186850.tif 000025
【図２４】
2006186850.tif 000026
【図２５】
2006186850.tif 000027